(57)【要約】【課題】発電プラントの各種機器を操作する操作員が、操作対象を見誤ったり操作の手順を見落としたりすることのない運転支援システム及び運転支援方法を提供する。【解決手段】機器の操作対象部位を識別するための識別情報を含む、操作対象部位毎に個別に付設される無線式情報識別端子と、機器の操作手順や操作対象部位に関する操作情報を内蔵するとともに、無線式情報識別端子と通信してその無線式情報識別端子に含まれている識別情報を読み取った結果に基づいて操作員に操作情報を提供する、操作員が携行する情報提供端末とを備える。【選択図】図１
2010122796.tif 000002
【特許請求の範囲】
【請求項１】
発電プラントに設けられている各種機器の運転を支援するシステムであって、
前記機器の操作対象部位を識別するための識別情報を含む、前記操作対象部位毎に個別に付設される無線式情報識別端子と、
前記機器の操作手順や前記操作対象部位に関する操作情報を内蔵するとともに、前記無線式情報識別端子と通信してその無線式情報識別端子に含まれている識別情報を読み取った結果に基づいて操作員に前記操作情報を提供する、前記操作員が携行する情報提供端末と、
を備えることを特徴とする発電プラントの運転支援システム。
【請求項２】
前記情報提供端末は、前記機器の操作手順に関する情報を操作員に提供するように構成されていることを特徴とする請求項１に記載した発電プラントの運転支援システム。
【請求項３】
前記情報提供端末に内蔵されている前記機器を運転する際の操作手順と、操作員が前記情報提供端末を接近させた前記操作対象部位に付設されている前記無線式情報識別端子から読み取った識別情報とに基づいて、操作員が前記情報提供端末を接近させた前記操作対象部位が次の操作手順において操作すべき操作対象部位であるか否かに関する情報を表示する情報表示手段をさらに備えることを特徴とする請求項１に記載した発電プラントの運転支援システム。
【請求項４】
前記情報表示手段は、前記無線式情報識別端子の側に設けられた発光手段であることを特徴とする請求項３に記載した発電プラントの運転支援システム。
【請求項５】
前記情報表示手段は、前記無線式情報識別端子の側に設けられた発音手段であることを特徴とする請求項３に記載した発電プラントの運転支援システム。
【請求項６】
前記情報表示手段は、前記情報提供端末に設けられた発光手段であることを特徴とする請求項３に記載した発電プラントの運転支援システム。
【請求項７】
前記情報表示手段は、前記情報提供端末に設けられた発音手段であることを特徴とする請求項３に記載した発電プラントの運転支援システム。
【請求項８】
前記情報表示手段は、前記情報提供端末に設けられた振動発生手段であることを特徴とする請求項３に記載した発電プラントの運転支援システム。
【発明の詳細な説明】
【技術分野】
【０００１】
本発明は、発電プラントに設けられている各種機器の運転を支援するシステム及び支援方法に関し、より詳しくは、発電プラントに設けられている各種機器を操作する際に、操作員が操作対象となる機器や操作部位の選択および操作の手順の間違いを犯すことがないように支援する技術に関する。
【背景技術】
【０００２】
従来、発電プラントに設けられている各種の機器を運転する際には、運転する機器の操作手順書に基づいて操作員が操作対象を目視で確認した後、定められた操作手順でこの操作対象を操作するようになっている。
【発明の開示】
【発明が解決しようとする課題】
【０００３】
しかしながら、発電プラントに設けられている各種の機器を運転する際には、操作員が操作対象を見誤ったり操作の手順を見落としたりする等のヒューマンエラーを発生させる懸念があった。
また、操作員は紙に書かれた操作手順を見ながら操作手順を確認する必要があり、機器を操作する際の作業性も良くなかった。
【０００４】
そこで本発明の目的は、上述した従来技術が有する問題点を解消し、操作員が操作対象を見誤ったり操作の手順を見落としたりすることのない発電プラントの運転支援システム及び運転支援方法を提供することにある。
【課題を解決するための手段】
【０００５】
上記の課題を解決するための請求項１に記載した手段は、
発電プラントに設けられている各種機器の運転を支援するシステムであって、
前記機器の操作対象部位を識別するための識別情報を含む、前記操作対象毎に個別に設置される無線式情報識別端子と、
前記機器の操作手順や前記操作対象部位に関する操作情報を内蔵するとともに、前記無線式情報識別端子と通信してその無線式情報識別端子に含まれている識別情報を読み取った結果に基づいて操作員に前記操作情報を提供する、前記操作員が携行する情報提供端末と、を備えることを特徴とする。
【０００６】
請求項２に記載した手段は、請求項１に記載した発電プラントの運転支援システムにおいて、前記情報提供端末が、前記機器の操作手順に関する情報を操作員に提供するように構成されていることを特徴とする。
【０００７】
請求項３に記載した手段は、請求項１に記載した発電プラントの運転支援システムが、前記情報提供端末に内蔵されている前記機器を運転する際の操作手順と、操作員が前記情報提供端末を接近させた前記操作対象部位に付設されている前記無線式情報識別端子から読み取った識別情報とに基づいて、操作員が前記情報提供端末を接近させた前記操作対象部位が次の操作手順において操作すべき操作対象部位であるか否かに関する情報を表示する情報表示手段をさらに備えることを特徴とする。
【０００８】
請求項４に記載した手段は、請求項３に記載した発電プラントの運転支援システムにおいて、前記情報表示手段が、前記無線式情報識別端子の側に設けられた発光手段であることを特徴とする。
【０００９】
請求項５に記載した手段は、請求項３に記載した発電プラントの運転支援システムにおいて、前記情報表示手段が、前記無線式情報識別端子の側に設けられた発音手段であることを特徴とする。
【００１０】
請求項６に記載した手段は、請求項３に記載した発電プラントの運転支援システムにおいて、前記情報表示手段が、前記情報提供端末に設けられた発光手段であることを特徴とする。
【００１１】
請求項７に記載した手段は、請求項３に記載した発電プラントの運転支援システムにおいて、前記情報表示手段が、前記情報提供端末に設けられた発音手段であることを特徴とする。
【００１２】
請求項８に記載した手段は、請求項３に記載した発電プラントの運転支援システムにおいて、前記情報表示手段が、前記情報提供端末に設けられた振動発生手段であることを特徴とする。
【００１３】
なお、前記情報提供端末には、操作員の身体に取り付けるための取付手段を設けることができる。
【００１４】
また、前記無線式情報識別端子の通信用アンテナを前記機器の側に設けることができる。
【００１５】
また、前記無線式情報識別端子は、前記機器の操作スイッチあるいは計器の銘板に埋め込むことができる。
【００１６】
また、本発明の発電プラントの運転支援システムには、前記操作情報を予め蓄積した制御用コンピュータと、前記制御用コンピュータに蓄積されている前記操作情報を前記情報提供端末に対して送受信するための情報ネットワークとをさらに設けることができる。
【００１７】
また、前記制御用コンピュータは、複数の前記情報提供端末がそれぞれ前記無線式情報識別端子から読み取った複数の識別情報に基づいて、前記機器の操作情報を前記情報ネットワークを介して複数の前記情報提供端末に同時に表示する機能を有することができる。
【００１８】
さらに、請求項１乃至９のいずれかに記載した発電プラントの運転支援システムを用いて前記機器の運転を支援することができる。
【発明の効果】
【００１９】
本発明によれば、操作員が操作対象を見誤ったり操作の手順を見落としたりすることのない発電プラントの運転支援システム及び運転支援方法を提供することができる。
【発明を実施するための最良の形態】
【００２０】
以下、図１乃至図５を参照し、本発明に係る発電プラントの運転支援システム及び支援方法の一実施形態について詳細に説明する。
【００２１】
図１を参照すると、発電プラントに設けられている各種機器の一つである操作盤１のうち、操作対象部位の一つである操作スイッチ２に無線式情報識別端子（以下、ＲＦＩＤ）３が設けられている。
また、操作盤１を操作して発電プラントを運転する操作員４は、ＲＦＩＤ３と通信してこのＲＦＩＤ３に含まれている識別情報を読み取ることができる情報提供端末５を携行している。
【００２２】
情報提供端末５は、操作盤１の操作手順や操作スイッチ２に関する操作情報を内蔵しており、操作盤１の操作手順に関する情報を操作員４に提供するとともに、ＲＦＩＤ３と通信してそのＲＦＩＤ３に含まれている識別情報を読み取った結果に基づいて操作員に操作情報を提供する。
【００２３】
すなわち、操作員４が情報提供端末５を操作盤１の操作スイッチ２に接近させると、情報提供端末５はＲＦＩＤ３と通信し、その結果に基づいて操作スイッチ２が次に操作すべき操作対象部位であるか否かを判別して操作員４に情報提供する。
【００２４】
例えば、操作スイッチ２が次に操作すべき操作対象部位であるときは、図１に示したように、情報提供端末５の画面には、操作スイッチ２が次に操作すべき操作対象部位であることを確認するメッセージが表示されるとともに、操作スイッチ２の具体的な操作方法が表示される。
また、情報提供端末５に設けられている図示されないスピーカを作動させて、操作スイッチ２が次に操作すべき操作対象部位であることを音声で確認するとともに、操作スイッチ２の具体的な操作方法を音声で案内することもできる。
【００２５】
これに対し、図２に示したように、操作員４が次の操作対象部位ではない操作スイッチ７に情報提供端末５を接近させると、情報提供端末５は、操作スイッチ７に設けられているＲＦＩＤ８と通信してこのＲＦＩＤ８に含まれている識別情報を読み取り、操作スイッチ７が次に操作すべき操作対象部位ではないことを警告するメッセージを情報提供端末５の画面に表示する。
同時に、情報提供端末５に設けられている図示されないＬＥＤ等の発光手段を点滅させ、あるいは情報提供端末５に設けられている図示されないスピーカを作動させ、若しくは情報提供端末５に設けられている図示されないバイブレータを作動させて、操作スイッチ７が次に操作すべき操作対象部位ではないことを警告する。
これにより、操作員４が次に操作すべき操作対象部位を見誤ることを防止できる。
【００２６】
または情報提供端末５は、図２に示したように操作盤１に設けられているスピーカ９を作動させて、操作スイッチ７が次に操作すべき操作対象部位ではないことを警告することもできる。
あるいは情報提供端末５は、図３に示したように、操作スイッチ７に付設されてＲＦＩＤ８が埋め込まれている銘板９に設けられたＬＥＤ等の発光手段１０を点滅させ、若しくはスピーカ１１を作動させて、操作スイッチ７が次に操作すべき操作対象部位ではないことを警告することもできる。
【００２７】
一方、情報提供端末５は、図４に示したように、制御用コンピュータ１２に蓄積されている操作盤１の操作手順や各操作スイッチに関する操作情報を、必要に応じ無線通信によってダウンロードすることができる。
これにより、例えば発電プラントを運転する際に操作対象となる機器を変更する場合にも、常にその機器に関する操作手順や操作情報を入手することができる。
また、情報提供端末５の表示画面に操作手順等を表示することにより、紙のマニュアルとは異なり携行および参照が容易な手順書として利用することが可能となるから、操作対象を見誤ったり操作の手順を見落としたりすることを防止できる。
【００２８】
さらに、図４に示したように、複数の操作員４Ａ，４Ｂがそれぞれ携行している複数の情報提供端末５Ａ，５Ｂ同士と制御用コンピュータ１２との間で通信することにより、機器操作情報の共有が可能となる。
これにより、例えば複数の操作員４Ａ，４Ｂが同一の機器を操作するときに、操作員４Ａの操作が優先される場合、操作員４Ｂが先に自分の操作を実施しようとしたときには、操作員４Ｂが操作しようとしている操作対象部位が次の操作対象ではない旨を警告することができる。
このとき、図５に示したように、情報提供端末５Ａ，５Ｂに同一の情報を表示することにより、機器操作情報を共有して確実に機器を操作して運転することができる。
【００２９】
なお、情報提供端末５は、例えば腕時計型とすることにより操作手順の情報の表示と無線式情報識別端子（ＲＦＩＤ）の識別が同時に実施できるため、作業性および操作性を向上させることができる。
【００３０】
さらに、操作盤１の操作スイッチ２に設けられているＲＦＩＤ３の無線通信用アンテナを、ＲＦＩＤ３そのものではなく、操作盤１に配置することもできる。
これにより、次の操作対象部位である操作スイッチ２を操作盤１の周囲から認識することが可能となり、かつ操作スイッチ２に並設されたＬＥＤ（図３）の点灯を同時に行うことにより、次の操作対象部位を迅速にかつ確実に認識することが可能となるから、操作対象を見誤ることを防止できる。
【図面の簡単な説明】
【００３１】
【図１】情報提供端末を用いて操作対象部位を確認する状態を模式的に示す図。
【図２】操作対象部位が異なることをスピーカにより警告する状態を示す図。
【図３】操作スイッチの銘板に設けた発光手段および音声手段を示す図。
【図４】情報提供端末と制御用コンピュータとの通信状態を示す図。
【図５】情報提供端末の表示画面を示す図。
【符号の説明】
【００３２】
１  操作盤（発電プラントの機器）
２  操作スイッチ（操作対象部位）
３  無線式情報識別端子（ＲＦＩＤ）
４  操作員
５  情報提供端末
６  操作スイッチ
７  無線式情報識別端子（ＲＦＩＤ）
８  スピーカ
９  銘板
１０  発光手段
１１  スピーカ
１２  制御用コンピュータ
１３  スピーカ
【図１】
2010122796.tif 000003
【図２】
2010122796.tif 000004
【図３】
2010122796.tif 000005
【図４】
2010122796.tif 000006
【図５】
2010122796.tif 000007